(57)【要約】【課題】ユーザの煩雑な操作を軽減し、より簡単に、また迅速に、ユーザにとって画像エリアの選択ミスを少なくさせる画像処理装置および画像処理システムを提供する。【解決手段】撮像装置から出力される画像信号を入力する入力手段と、画像信号に基づいて画像をモニタの第１位置に表示する第１表示手段と、第１表示手段によって表示される画像の中から複数の任意のエリアを指定するエリア指定手段と、エリア指定手段により指定された複数のエリアのいずれかの画像に対し所定の処理を施す処理制御手段と、エリア指定手段により指定された複数のエリアに対応する複数のエリア枠を画像に重畳して表示する第２表示手段と、エリア毎に設定されたマークをモニタの第１位置とは異なる第２位置に表示する第３表示手段と、第３表示手段に表示されたマークを選択する選択手段と、選択手段により選択されたマークに対応するエリアを解除する解除手段を備える。【選択図】図６
2010068490.tif 000002
【特許請求の範囲】
【請求項１】
撮像装置から出力される画像信号を入力する入力手段と、
前記画像信号に基づいて画像をモニタの第１位置に表示する第１表示手段と、
前記第１表示手段によって表示される画像の中から複数の任意のエリアを指定するエリア指定手段と、
前記エリア指定手段により指定された複数のエリアのいずれかの画像に対し所定の処理を施す処理制御手段と、
前記エリア指定手段により指定された複数のエリアに対応する複数のエリア枠を前記画像に重畳して表示する第２表示手段と、
エリア毎に設定されたマークを前記モニタの前記第１位置とは異なる第２位置に表示する第３表示手段と、
前記第３表示手段に表示された前記マークを選択する選択手段と、
前記選択手段により選択されたマークに対応するエリアを解除する解除手段を備えることを特徴とする、画像処理装置。
【請求項２】
ポインティングデバイスを更に備え、
前記第３表示手段、前記選択手段および前記解除手段において、前記マークはボタンで表示され、該ボタンを前記ポインティングデバイスにて選択することにより、前記解除手段による解除を実行することを特徴とする、請求項１に記載の画像処理装置。
【請求項３】
被写体を撮像して画像信号を生成し、該画像信号を出力する撮像装置と、
前記撮像装置と接続され、前記画像信号を入力する入力手段を備える画像処理装置で構成される画像処理システムであって、
前記画像処理装置は、
前記画像信号に基づいて画像をモニタの第１位置に表示する第１表示手段と、
前記第１表示手段によって表示される画像の中から複数の任意のエリアを指定するエリア指定手段と、
前記エリア指定手段により指定された複数のエリアのいずれかの画像に対し所定の処理を施す処理制御手段と、
前記エリア指定手段により指定された複数のエリアに対応する複数のエリア枠を前記画像に重畳して表示する第２表示手段と、
エリア毎に設定されたマークを前記モニタの前記第１位置とは異なる第２位置に表示する第３表示手段と、
前記第３表示手段に表示された前記マークを選択する選択手段と、
前記選択手段により選択されたマークに対応するエリアを解除する解除手段を備えることを特徴とする、画像処理システム。
【請求項４】
撮像装置から出力される画像信号を入力する画像処理装置を制御する画像処理プログラムであって、
前記画像処理プログラムは、
前記画像信号に基づいて画像をモニタの第１位置に表示する第１ステップと、
前記第１ステップによって表示される画像の中から複数の任意のエリアを指定する第２ステップと、
前記第２ステップにより指定された複数のエリアの画像に対し所定の処理を施す第３ステップと、
前記第２ステップにより指定された複数のエリアに対応する複数のエリア枠を前記画像に重畳して表示する第４ステップと、
エリア毎に設けられたマークを前記モニタの前記第１位置とは異なる第２位置に表示する第５ステップと、
前記第５ステップにおいて表示された前記マークを選択する第６ステップと、
前記第６ステップにより選択されたマークに対応するエリアを解除する第７ステップを備えることを特徴とする、画像処理プログラム。
【請求項５】
請求項４に記載された画像処理プログラムが格納された、記録媒体。
【発明の詳細な説明】
【技術分野】
【０００１】
本発明は、特に例えば撮像装置から出力される画像信号に基づく画像をモニタに表示し、該モニタに表示される画像から任意のエリアを選択し、選択されたエリアに対して所定の処理を施す画像処理装置および画像処理システムに関する。
【背景技術】
【０００２】
近年、監視カメラと画像処理装置を接続し、該監視カメラから出力される画像信号を該画像処理装置などに入力し、該画像信号に基づく画像を、表示機能を持つ画像処理装置で表示しつつ、該画像処理装置から監視カメラの動作などを制御する監視カメラシステムが賞用されている。
【０００３】
この種の監視カメラシステムの一例が、特許文献１に開示されている。この従来技術の監視カメラシステムでは、複数台の監視カメラと、タッチパネルでの操作が可能なＬＣＤを具備するコントローラとが接続されており、使用者は該コントローラのタッチパネルを利用して、監視カメラの動作を制御することができる。
【特許文献１】特開２００２−１８０１５２号公報
【発明の開示】
【発明が解決しようとする課題】
【０００４】
さて、例えば、監視カメラと表示器を具備する画像処理装置を接続した場合、該監視カメラからの画像信号に基づく画像を、該画像処理装置の表示器に表示し、表示器に表示される画像から任意の画像エリアを設定し、該画像エリアを切り出して、画像エリア内に対応する画像に対して拡大処理を施したり、記録を行うといった使用例が考えられる。
【０００５】
ここで、上述した使用例において、設定された画像エリアの解除を行うときに、先行技術を利用しようとした場合を説明する。ユーザは、タッチパネルが配備されたＬＣＤ上に表示される画像エリアに、直接触れることによって選択することとなる。従って、設定された画像エリアが複数存在し、複数の画像エリアの一部が互いに重なっている場合などにおいては、ユーザは所望する解除画像エリアではない画像エリアを、選択してしまう恐れがある。また、解除画像エリアを選択した後、再度ＬＣＤ上に表示される設定ボタンを触れる操作が為されることによって、ようやく設定された画像エリアが解除されるため、ユーザによる操作の手間がかかる。
【０００６】
本発明は、上記の問題点を解決するもので、上述したユーザの煩雑な操作を軽減し、より簡単に、また迅速に、ユーザにとって画像エリアの選択ミスを少なくさせる画像処理装置および画像処理システムを提供するものである。
【課題を解決するための手段】
【０００７】
第１の発明の画像処理装置は、撮像装置から出力される画像信号を入力する入力手段と、画像信号に基づいて画像をモニタの第１位置に表示する第１表示手段と、第１表示手段によって表示される画像の中から複数の任意のエリアを指定するエリア指定手段と、エリア指定手段により指定された複数のエリアのいずれかの画像に対し所定の処理を施す処理制御手段と、エリア指定手段により指定された複数のエリアに対応する複数のエリア枠を画像に重畳して表示する第２表示手段と、エリア毎に設定されたマークをモニタの第１位置とは異なる第２位置に表示する第３表示手段と、第３表示手段に表示されたマークを選択する選択手段と、選択手段により選択されたマークに対応するエリアを解除する解除手段を備えることを特徴とする。
【０００８】
第２の発明の画像処理装置は、第１の発明の撮像装置に従属し、ポインティングデバイスを更に備え、第３表示手段、選択手段および解除手段において、マークはボタンで表示され、該ボタンをポインティングデバイスにて選択することにより、解除手段による解除を実行することを特徴とする。
【０００９】
第３の発明の画像処理システムは、被写体を撮像して画像信号を生成し、該画像信号を出力する撮像装置と、撮像装置と接続され、画像信号を入力する入力手段を備える画像処理装置で構成される画像処理システムであって、画像処理装置は、画像信号に基づいて画像をモニタの第１位置に表示する第１表示手段と、第１表示手段によって表示される画像の中から複数の任意のエリアを指定するエリア指定手段と、エリア指定手段により指定された複数のエリアのいずれかの画像に対し所定の処理を施す処理制御手段と、エリア指定手段により指定された複数のエリアに対応する複数のエリア枠を画像に重畳して表示する第２表示手段と、エリア毎に設定されたマークをモニタの第１位置とは異なる第２位置に表示する第３表示手段と、第３表示手段に表示されたマークを選択する選択手段と、選択手段により選択されたマークに対応するエリアを解除する解除手段を備えることを特徴とする。
【００１０】
第４の発明の画像処理プログラムは、撮像装置から出力される画像信号を入力する画像処理装置を制御する画像処理プログラムであって、画像処理プログラムは、画像信号に基づいて画像をモニタの第１位置に表示する第１ステップと、第１ステップによって表示される画像の中から複数の任意のエリアを指定する第２ステップと、第２ステップにより指定された複数のエリアの画像に対し所定の処理を施す第３ステップと、第２ステップにより指定された複数のエリアに対応する複数のエリア枠を画像に重畳して表示する第４ステップと、エリア毎に設けられたマークをモニタの第１位置とは異なる第２位置に表示する第５ステップと、第５ステップにおいて表示されたマークを選択する第６ステップと、第６ステップにより選択されたマークに対応するエリアを解除する第７ステップを備えることを特徴とする。
【００１１】
第５の発明の記録媒体は、第４の発明に記載された画像処理プログラムが格納されていることを特徴とする。
【発明の効果】
【００１２】
この発明の画像処理装置および画像処理システムによれば、ユーザの煩雑な操作を軽減し、より簡単に、また迅速に、ユーザにとって画像エリアの選択ミスを少なくさせることができる。
【発明を実施するための最良の形態】
【００１３】
本実施例においては、本発明の画像処理装置および画像処理システムの１つの例として、監視カメラ１０と、該監視カメラ１０とＬＡＮケーブルを介して接続され、該監視カメラ１０から出力される画像信号を入力する画像処理装置１４と、該監視カメラ１０とコンポジットケーブルを介して接続される監視用モニタ１２とで構成される監視カメラシステム２の形態を用いて説明する。
【００１４】
図１は、本実施例の監視カメラ１０と監視用モニタ１２および画像処理装置１４の接続例を示している。画像処理装置１４は、監視カメラ１０とＬＡＮケーブルを介して接続され、監視用モニタ１２は、監視カメラ１０とコンポジットケーブルを介して接続される。画像処理装置１４は、ＬＣＤモニタ１４ａと信号処理装置１４ｂとポインティングデバイス１４ｃを備えて構成される。監視カメラ１０で撮像され、画像信号の生成および該画像信号に対して信号処理された圧縮画像データは、ＬＡＮケーブルを介して、信号処理装置１４ｂに入力される。また、監視カメラ１０で生成された画像信号は、ビデオ信号に変換され、コンポジットケーブルを介して監視用モニタ１２に入力される。
【００１５】
監視用モニタ１２では、ユーザによるモニタリングが為され、信号処理装置１４ｂに入力された圧縮画像データは、信号処理装置１４ｂ内で、該圧縮画像データの記録処理、および監視用モニタ１２おけるユーザによるモニタリングのための、該圧縮画像データに基づく設定が為される。
【００１６】
次に、図１で示した監視カメラ１０内部のブロック図である図２を用いて、監視カメラ１０の詳細を説明する。
【００１７】
監視カメラ１０は、撮像レンズ１６、ＣＭＯＳイメージャ１８ａ、撮像処理部１８ｂ、ＳＤＲＡＭ２０、ＣＰＵ２２、圧縮処理部２４、コマンド制御部２６、Ｄ／Ａ変換部２７、通信インタフェース２８、ビデオエンコーダ２９、バス２３およびビデオ信号出力インタフェース３１を備えて構成されている。
【００１８】
撮像レンズ１６は、被写体の光学像を、撮像デバイスであるＣＭＯＳイメージャ１８ａの撮像面上に結像させる。ここで、本実施例においては、ＣＭＯＳイメージャ１８ａの有効イメージエリアとして、縦×横が１９２０×１０８０ピクセル（アスペクト比１６：９）を採用している。
【００１９】
また、撮像レンズ１６は、ＣＭＯＳイメージャ１８ａの出力信号に基づいて、ＣＰＵ２２より制御される図示しないレンズモータによって、光軸方向の移動を調節される。ＣＭＯＳイメージャ１８ａから出力されたアナログ撮像信号は、撮像処理部１８ｂに入力され、Ａ／Ｄ変換処理、ＣＤＳ処理、信号増幅処理およびクランプ処理などのさまざまな処理が施され、該処理が施されたデジタル撮像信号は、一旦、ＳＤＲＡＭ２０に格納される。
【００２０】
ＳＤＲＡＭ２０に格納されているデジタル撮像信号は、撮像処理部１８ｂに入力され、撮像処理部１８ｂによって、色分離処理、ＡＷＢ処理およびＹＵＢ変換処理等のさまざまな信号処理が施され、その結果、輝度信号であるＹ信号および色差信号であるＵ、Ｖ信号が生成される。
【００２１】
撮像レンズ１６、ＣＭＯＳイメージャ１８ａ、撮像処理部１８ｂ、ＳＤＲＡＭ２０、圧縮処理部２４、Ｄ／Ａ変換部２７および通信インタフェース２８は、バス２３を介して、ＣＰＵ２２によって制御される。
【００２２】
ＣＰＵ２２は、また、コマンド制御部２６に接続される。そして、コマンド制御部２６は、通信インタフェース２８と接続され、画像処理装置１４から出力されるコマンドが入力される。コマンド制御部２６は、どのようなコマンドが入力されたかを解析するコマンド解析を行い、例えば、監視を開始する、つまり撮像を開始するためのコマンドであると判断すると、ＣＰＵ２２へ、撮像開始指示および、該撮像開始指示に対応して撮像され、圧縮処理が施された圧縮画像データの画像処理装置１４への送信指示を出力する。
【００２３】
上述したように、コマンド制御部２６へ入力されるコマンドの例として、撮像開始指示および送信指示するためのコマンドを挙げたが、ホワイトバランス変更コマンドや、図示しない監視カメラ１０のレンズ１６を含むレンズユニットを、パンチルトさせるためのモータを制御するパンチルト制御コマンドであってもよい。
【００２４】
次に、本実施例の監視カメラ１２の撮像処理についてＣＰＵ２２の制御を中心に説明する。ＣＰＵ２２は、コマンド制御部２６から撮像開始指示を受け付けると、撮像レンズ１６、ＣＭＯＳイメージャ１８ａ、撮像処理部１８ｂおよびＳＤＲＡＭ２０を制御することによって、所定のフレームレートに従って、Ｙ、Ｕ、Ｖ信号を繰り返し生成する。ここで、該所定のフレームレートは、監視カメラ１０が撮像を開始する前、または撮像を開始した後に、コマンド制御部２６を介して、図示しないＣＰＵ２２のレジスタに設定されている任意のフレームレートである。
【００２５】
そして、Ｙ、Ｕ、Ｖ信号はバス２３を介して、再びＳＤＲＡＭ２０に格納され、圧縮処理部２４へ繰り返し入力される。そして、圧縮処理部２４は、圧縮処理としてＭＰＥＧ方式に従って、Ｙ、Ｕ、Ｖ信号に対し圧縮処理を施し、圧縮処理により生成された画像圧縮データは、バス２３を介して、再びＳＤＲＡＭ２０に格納される。
【００２６】
そして、ＳＤＲＡＭ２０に格納されている画像圧縮データは、通信インタフェース２８から画像圧縮装置１４へ出力される。
【００２７】
さて、監視カメラ１０は、監視用モニタ１２に対して、所定の更新間隔（インターバル）で画像（ビデオ信号）を出力し、表示させるインターバル表示モードを備えている。このインターバル表示モードは、１台の監視カメラ１０で、複数の監視場所を切換えて監視するために設けられている。上述したように、ＣＭＯＳイメージャ１８ａの出力に基づくデジタル画像データは、１フレームが、縦×横が１９２０×１０８０ピクセル（アスペクト比１６：９）のサイズで構成される。しかし、監視用モニタ１２に表示される画像サイズは、縦×横が７４０×４８０ピクセル（アスペクト比４：３）のＳＤサイズの画像で十分である。逆に、解像度が高い画像に対して、解像度を低くなるようにスケーリング処理を施すことによって、画質が低下してしまう恐れがある。
【００２８】
このように、ＣＭＯＳイメージャ１８ａの出力に基づくデジタル画像データの解像度が高いため、１フレームのデジタル画像データから任意のエリアに対応する画像データを切り出して、監視用モニタ１２に、所定のインターバル速度で表示させている。
【００２９】
このインターバル表示モードでは、まず、ＣＭＯＳイメージャ１８ａの出力に基づくデジタル画像データがＳＤＲＡＭ２０に格納される。ここで、上述したように、該デジタル画像データの１フレームは、縦×横が１９２０×１０８０ピクセル（アスペクト比１６：９）のＦｕｌｌ−ＨＤサイズで構成されるが、監視用モニタ１２に表示される画像は、縦×横が７４０×４８０ピクセル（アスペクト比４：３）のＳＤサイズの画像である。
【００３０】
さて、ＳＤＲＡＭ２０に格納されたデジタル画像データは、後述する画像処理装置１４で実行される、インターバル表示モードの設定を行うための表示設定処理において設定された、ユーザが特に注意して監視したいＳＤサイズの任意のエリアに対応するように、ＣＰＵ２２によって、切り出し処理が為される。具体的には、画像処理装置１４にて設定された任意の複数のエリア、任意のインターバル速度および表示の順番のデータに対応するコマンドが、通信インタフェース２８を介して、画像処理装置１４からコマンド制御部２６へ、入力される。
【００３１】
コマンド制御部２６は、入力されたコマンドの解析を行い、任意の複数のエリア、任意のインターバル速度および表示の順番のデータをＣＰＵ２２へ出力する。そして、ＣＰＵ２２は、図示しない各々のレジスタに、任意の複数のエリア、任意のインターバル速度および表示の順番のデータを格納する。
【００３２】
ＣＰＵ２２は、レジスタに格納された任意の複数のエリア、任意のインターバル速度および表示の順番のデータに基づいて、ＳＤＲＡＭ２０に格納されている、Ｆｕｌｌ−ＨＤサイズのデジタル画像データに対してＳＤサイズの画像データになるように切り出し処理を行い、再びＳＤＲＡＭ２０に格納する。格納されたＳＤサイズの画像データは、Ｄ／Ａ変換部２７にて、アナログ映像信号に変換され、ビデオエンコーダ２９に出力される。ビデオエンコーダ２９では、ＮＴＳＣ方式のビデオ信号に変換され、ビデオ信号出力インタフェース３１を介して、監視用モニタ１２へ出力される。
【００３３】
次に、図１で示した画像圧縮装置１４内部のブロック図である図３を用いて、画像圧縮装置１４の詳細を説明する。先に説明したとおり、画像圧縮装置１４は、ＬＣＤモニタ１４ａ、信号処理装置１４ｂおよびポインティングデバイス１４ｃで構成されている。
【００３４】
信号処理装置１４ｂは、通信インタフェース３０、ＣＰＵ３２、伸張処理部３４、ＳＤＲＡＭ３６、ＬＣＤモニタドライバ４２、ハードディスクドライバ４４、ハードディスク４６、ポインティングデバイスドライバ４８およびバス５０で構成されている。
【００３５】
ＣＰＵ３２は、通信インタフェース３０、伸張処理部３４、ＳＤＲＡＭ３６、ＬＣＤモニタドライバ４２およびハードディスクドライバ４４を、バス５０を介して制御する。また、ポインティングデバイスドライバ４８とも接続され、ポインティングデバイス１４ｃが操作されることにより、ポインティングデバイス１４ｃから出力されるＬＣＤモニタ１４ａ上でのカーソルの位置情報が、ポインティングデバイスドライバ４８を介してＣＰＵ３２へ入力される。
【００３６】
また、ＬＣＤモニタドライバ４２はＬＣＤモニタ１４aと接続され、伸張処理された画像データが画像としてＬＣＤモニタ１４ａに表示される。ハードディスクドライバ４４は、ハードディスク４６と接続され、圧縮画像データがハードディスク４６に記録される。
【００３７】
次に、監視カメラ１０から出力された圧縮画像データの、画像圧縮装置１４における処理について説明する。本実施例の画像圧縮装置１４は、ハードディスク４６に圧縮画像データを記録する記録処理および、監視用モニタ１２にＦｕｌｌ−ＨＤサイズの画像から切り出し処理を施したＳＤサイズの画像を、所定の更新間隔（インターバル）で表示させるインターバル表示モードの設定を行う表示設定処理を実行する。
【００３８】
監視カメラ１０におけるインターバル表示モードの表示設定処理の説明については、図４および図６に示す表示設定画面を参照して説明する。
【００３９】
まず、記録処理について説明する。監視カメラ１０からの圧縮画像データは、ＬＡＮケーブルを介して、通信インタフェース３０へ入力され、バス５０を介して一旦ＳＤＲＡＭ３６に入力される。そして、ＣＰＵ３２は、ＳＤＲＡＭ３６およびハードディスクドライバ４４を制御して、圧縮画像データをハードディスク４６に記録する。
【００４０】
次に、インターバル表示モードの設定を行うための表示設定処理について図４を用いて、説明する。この表示設定処理では、主に、ユーザが特に注意して監視したい任意のエリアを複数設定し、任意のインターバル速度を設定する。
【００４１】
図４は、インターバル表示モードの設定を行うための、設定画面を示している。図４に示すように、設定画面の左側には、マークエリアＹに３つのマークが、本実施例においては３つのボタンが重畳されて、表示される。該３つのボタンは、ＣＰＵ３２によって図示しないフラッシュメモリに格納されているプログラムに基づいて、マークエリアＹに重畳されて、表示される。３つのボタンは具体的には、“オプション”、“切り出しエリア設定”および“ヘルプ”ボタンである。そして、ボタンがポインティングデバイス１４ｃからの操作によって選択されるように、本実施例における画像処理装置１４には、グラフィカルユーザインタフェース（ＧＵＩ）機能が搭載されている。
【００４２】
設定画面の右上側には、切り出し設定エリアＺに圧縮画像信号に基づく画像が表示され、設定画面の右下側には、設定変更エリアＵに、設定アイテムおよび設定値がマークを用いて表示される。そして、この設定画面に基づく、選択／設定もまた、ＧＵＩ機能を採用しているため、ポインティングデバイス１４ｃが操作されることにより、選択／設定を行うことができる。
【００４３】
切り出し設定エリアＺには、圧縮画像データのアスペクト比が１６：９の、縦×横が１９２０×１０８０の画像から、同じアスペクト比１６：９の画像になるように、間引き処理が施されて、表示される。また、設定変更エリアＵ上に、ポインティングデバイス１４ｃの動きに対応するカーソルが表示される。ポインティングデバイス１４ｃは、例えばマウスのように、本体を水平方向または垂直方向に移動させ、ボールや赤外線、レーザーなどを利用したセンサで移動を検知し、２次元の移動距離情報をＣＰＵ３２へ出力することや、左クリック操作が為されると、ＣＰＵ３２へ左クリック情報を出力することを行う。ＣＰＵ３２は移動距離情報に基づいて、切り出し設定エリアＺ上にカーソルの移動を表示させることや、左クリック情報に基づいて、選択／設定を認識することを行う。
【００４４】
次に、切り出し設定エリアＺにおける、任意のエリアの設定の方法について、説明する。ユーザによって、ポインティングデバイス１４ｃに対する左クリック操作が行われると、ＳＤサイズのエリアに対応する長方形の枠が、切り出し設定エリアＺに表示される。そして、ユーザのポインティングデバイス１４ｃの水平および垂直方向への操作によって、枠内にカーソルが移動され、枠内の移動されたポイントで左クリック操作が為され、ユーザによる左クリック操作が継続されつつ、ポインティングデバイス１４ｃが水平および垂直方向へ操作されると、枠が切り出し設定エリアＺ上を移動する。そして、ユーザの任意の位置で左クリック操作が解除されることによって、枠の移動が中断される。そして、ユーザによって、設定変更エリアＵの下に表示されるマーク、本実施例では、セットボタンＳに対して、ポインティングデバイス１４ｃによる左クリック操作が為されることにより、任意のエリアが確定し、確定された任意のエリアを切り出しエリアとして設定する。
【００４５】
具体的には、ＣＰＵ３２は、現在、切り出し設定エリアＺに表示されているアスペクト比１６：９の画像の、長方形を成す枠の左上の隅の座標（Ｖ１、Ｗ１）に基づいて、位置アドレスを算出し、ＳＤＲＡＭ３６に切り出しエリアとして記録すると共に、切り出しエリアに対応する番号“１”を関連付けて記録する。ＣＰＵ３２は、その際に、切り出し設定エリアＺ上に、設定した切り出しエリアに対応する枠および、枠内の左上に番号“１”を表示させる。この枠および番号は、設定変更エリアＵの設定アイテム欄の“切り出しエリア１”に対応する。また、ユーザに対して、見やすくさせるために、“切り出しエリア１”に対応する枠の色を青色、“切り出しエリア２”に対応する枠の色をピンク色、“切り出しエリア３”に対応する枠の色を緑色として表示している。
【００４６】
ユーザは、上述した同様の操作により“切り出しエリア２”および“切り出しエリア３”を設定することが出来る。
【００４７】
設定された複数の切り出しエリアおよび番号に関連するデータは、コマンド制御部３３によって、コマンド化され、通信インタフェース３０を介して、監視カメラ１０へ出力される。
【００４８】
さて、図４に示すように、現在、“切り出しエリア１”、“切り出しエリア２”および“切り出しエリア３”が設定されているとする。ここで、設定アイテム欄の“切り出しエリア１”に対応する設定値の“ＤＥＬＥＴＥ”もまた、マークであるボタンで表示される。この“ＤＥＬＴＥ”ボタンは、設定状態に応じて、色が変化する。上述したように、使用者によって切り出しエリアが設定されると、“ＤＥＬＥＴＥ”ボタンが変更される。具体的には、設定される前のボタンの色は背景色に対して目立たない色、例えばグレー色で表示される。そして、設定が為されると、ボタンの色は背景色に対して目立つ色、例えば白色に変更される。ここで、“切り出しエリア４”は、設定されていない。このため、設定アイテム“切り出しエリア４”に対応する設定値の“ＤＥＬＥＴＥ”ボタンは、グレー色で表現される。
【００４９】
図４を用いて具体的に説明すると、“切り出しエリア１”、“切り出しエリア２”および“切り出しエリア３”が設定されており、各エリアに対応する“ＤＥＬＥＴＥ”ボタンは、図面の便宜上、実線で囲むように表したが、このボタンの“ＤＥＬＥＴＥ”という文字が黒色で表現され、実線で囲まれている文字以外の部分が白色で表現される。
【００５０】
また、図４では、“切り出しエリア４”に対応する“ＤＥＬＥＴＥ”ボタンは、図面の便宜上、点線で囲むように表したが、このボタンの“ＤＥＬＥＴＥ”という文字が黒色で表現され、点線で囲まれている文字以外の部分がグレー色で表現される。ＣＰＵ３２は、ＳＤＲＡＭ３６に、夫々の“ＤＥＬＥＴＥ”ボタンの色情報についても記録する。
【００５１】
また、設定変更エリアＵには、設定アイテムとして“画像更新間隔”、それに対応する設定値として、マークであるプルダウンボタンが表示されている。ここで、“画像更新間隔”とは、上述したインターバル表示モードにおける、インターバル速度である。ユーザは、プルダウンボタンの“▼”を、ポインティングデバイス１４ｃを使用して左クリック操作を行い、縦方向に表示されるインターバル速度である“１秒”、“５秒”、“１０秒”および“１５秒”の中から、ユーザが所望のインターバル速度を左クリック操作することによって、インターバル速度が選択される。そして、ユーザによってセットボタンＳに対して左クリック操作が為されることによって、インターバル速度が設定される。設定されたインターバル速度に関するデータは、コマンド制御部３３によってコマンド化され、通信インタフェース３０を介して監視カメラ１０に出力される。  
図４では、インターバル速度として“５秒”が設定されている。この場合、ＣＰＵ２２の図示しないレジスタにインターバル速度＝５秒の情報が、格納されている。
【００５２】
さて、インターバル表示モードの設定画面において、ユーザによってポインティングデバイス１４ｃが操作されることによって、設定された切り出しエリア、インターバル速度および番号に関するデータは、コマンド化され、監視カメラ１０へ出力され、監視カメラ１０のＣＰＵ２２は、画像処理装置１４より入力された切り出しエリア、インターバル速度および番号に関するデータに基づいて、インターバル表示モードにてインターバル表示処理を行う。
【００５３】
インターバル表示処理について、図５（ａ）〜（ｃ）を参照して、説明する。図５（ａ）〜（ｃ）は、上述したインターバル表示モードの設定において、設定された切り出しエリア１〜３に対応する画像が、監視用モニタ１２に表示されている図を示している。
【００５４】
まず、図５（ａ）に示す切り出しエリア１に対応する画像Ａが表示され、５秒後に、図５（ｂ）に示す切り出しエリア２に対応する画像Ｂが表示され、そのまた５秒後に、図５（ｃ）に示す切り出しエリア３に対応する画像Ｃが表示される。そして、そのまた５秒後に、図５（ａ）に示す切り出し１に対応する画像Ａが表示され、以後、画像Ａ、Ｂ、Ｃが５秒のインターバル速度にて、順番に繰り返し表示される。本実施例における、切り出しエリアに対応する画像の表示の順番は、切り出し設定エリアＺに表示されている各々の枠内の番号の小さい数字順で繰り返し表示される（１→２→３→１→・・・）。
【００５５】
また、本実施例におけるインターバル表示モードの設定画面において、切り出しエリアの設定の解除を行うことができる。この切り出しエリアの設定の解除について、図６を用いて説明する。
【００５６】
図６は、図４と同様に、インターバル表示モードの設定画面を示している。図４に示すように切り出しエリアとして、“切り出しエリア１”、“切り出しエリア２”および“切り出しエリア３”が設定されている状態で、ユーザが、“切り出しエリア３”の設定を解除したい場合に、ユーザは、設定アイテム“切り出しエリア３”に対応するマークである設定値“ＤＥＬＥＴＥ”ボタンを、ポインティングデバイス１４ｃの左クリック操作を行うことによって、実行することができる。すると、インターバル表示モードの設定画面は、図６に示すように、“切り出しエリア３”に対応する“ＤＥＬＥＴＥ”ボタンは、白色からグレー色に変更されるとともに、切り出し設定エリアＺ上の“切り出しエリア３”として設定されていた切り出しエリアの枠および番号が削除される。
【００５７】
同様の操作で、“切り出しエリア１”および“切り出しエリア２”の設定の解除を実行することができる。ユーザは、所望の切り出しエリアの解除操作を終了し、解除の決定をする場合には、セットボタンＳに対し、左クリック操作を行うことによって、解除が決定する。ＣＰＵ３２は、解除の決定に応じて、コマンド制御部３３を制御し、解除操作が為された切り出しエリアに関するデータのコマンドを生成し、通信インタフェース３０を介して、監視カメラ１０へ出力する。
【００５８】
監視カメラ１０内のＣＰＵ２２は、解除対象の切り出しエリアのデータに基づいて、インターバル表示モードにおける、切り出しエリアおよび番号のデータを更新する。
【００５９】
このように、ユーザは、設定変更エリアＵに設けられた設定値の“ＤＥＬＥＴＥ”ボタンに対して、ポインティングデバイス１４ｃの左クリック操作を実行するだけで、現在設定されている任意の切り出しエリアの設定を解除することができる。従って、例え、ユーザが、本実施例の画像処理装置１４の操作方法を詳しく認識していなくても、直感的に解除することができる。また、各々の切り出しエリア毎に“ＤＥＬＥＴＥ”ボタンが設けられているため、ユーザによる削除ミスを防止することができる。
次に、図７のフローチャートを参照して、本実施例の画像処理装置１４に適用された、切り出しエリアの設定および解除処理におけるＣＰＵ３２の動作について説明する。
【００６０】
まず、ステップＳ１において、ポインティングデバイス１４ｃが操作されることによって、“切り出しエリア設定”ボタンが選択されたか否かを判別する。ステップＳ１においてＹＥＳと判別すると、ステップＳ３へ進み、上述した、切り出しエリアの設定処理を実行し、ステップＳ４へ進み、切り出しエリアの設定処理に基づくデータのコマンドを生成し、監視カメラ１０へ送信する。そして、ステップＳ１に戻る。
【００６１】
ステップＳ１において、“ＮＯ”と判別すると、ステップＳ５へ進み、設定変更エリアＵに設けられた設定値の“ＤＥＬＥＴＥ”ボタンが選択されたか否かを判別する。ステップＳ５においてＹＥＳと判別すると、ステップＳ７へ進み、選択された“ＤＥＬＥＴＥ”ボタンに対応する、現在設定されている切り出しエリアを解除する。つまり、ＣＰＵ３２は、インターバル表示モードの設定画面の“ＤＥＬＥＴＥ”ボタンを白色からグレー色へ変更し、かつＳＤＲＡＭ３６内の“ＤＥＬＥＴＥ”ボタンの色情報を変更する。そして、ステップＳ８へ進み、解除対象の切り出しエリアおよび番号のデータのコマンドを生成し、監視カメラ１０へ送信する。そして、ステップＳ１に戻る。
【００６２】
ステップＳ５において、“ＮＯ”と判別すると、ステップＳ９へ進み、ステップＳ９では、他のボタンの選択が有ったか否かを判別する。ここで、“ＹＥＳ”と判別すると、ステップＳ１１へ進み、選択されたボタンに対応する処理を実行する。ステップＳ９において、“ＮＯ”と判別すると、ステップＳ１へ戻る。
【００６３】
なお、本実施例においては、比較的大きな画素で撮像された画像から、該画像内から複数の任意のエリアを設定して、任意のエリアに対応する画像を任意のインターバル速度で順番に繰り返し表示する際の、既に設定されている任意のエリアの設定解除動作における枠の削除およびボタンの表示変更について説明したが、現在設定されている任意のエリアの設定を解除するために、任意のエリアに対応するボタンを選択することによって設定が解除されるものであれば、何でもよい。例えば、プライバシーマスクの設定解除にも適用可能である。
【００６４】
また、本実施例においては、監視カメラ１０が実行するインターバル表示モードのインターバル表示処理において、監視用モニタ１２に、切り出しエリアに対応する画像を表示する際、図５（ａ）〜（ｃ）に示すように、切り出し処理を行った、縦×横が７４０×４８０ピクセルのＳＤサイズの画像を表示させていたが、監視カメラ１０内に電子ズーム処理部を設けて、図８（ｄ）、（ｅ）に示すように切り出した画像Ａに対して、拡大ズーム処理を施して、拡大画像Ａ´として監視用モニタ１２に表示させてもよい。
【００６５】
また、本実施例においては、“ＤＥＬＥＴＥ”ボタンの表示において、切り出しエリアとして設定されているエリアに対応するボタンの場合には白色とし、設定されていないエリアに対応するボタンの場合はグレー色としたが、ユーザにとって分かりやすければ、何でもよい。また、“ＤＥＬＥＴＥ”ボタンの表示において、設定されているエリアに対応するボタンの場合には白色としたが、各切り出しエリアの枠の色に対応させても良い。例えば、“切り出しエリア１”に対応する“ＤＥＬＥＴＥ”ボタンの色を青色、“切り出しエリア２”に対応する“ＤＥＬＥＴＥ”ボタンの色をピンク色、“切り出しエリア３”に対応する“ＤＥＬＥＴＥ”ボタンの色を緑色として表示してもよい。
【００６６】
また、本実施例の画像処理装置は、ＬＣＤモニタ１４ａ、信号処理装置１４ｂおよびポインティングデバイス１４ｃで構成されているが、信号処理装置１４ｂがいわゆるパーソナルコンピュータであっても良い。その場合、本実施例における、各種設定画面表示、インターバル表示およびそれらを実行するためのプログラムは、記録媒体に格納されており、ユーザによって該プログラムをインストールされることによって、パーソナルコンピュータが各種の処理を実行する。
【図面の簡単な説明】
【００６７】
【図１】本発明の一実施例である画像処理装置、監視カメラおよび監視用モニタとの接続例を示す図である。
【図２】本発明の一実施例である監視カメラの構成を示すブロック図である。
【図３】本発明の一実施例である画像処理装置の構成を示すブロック図である。
【図４】本発明の一実施例であるＬＣＤモニタ１４ａ上に表示されるインターバル表示モードの設定画面を示す図解図である。
【図５】本発明の一実施例である監視用モニタ上に表示されるインターバル表示モードにおける画像表示の遷移図である。
【図６】本発明の一実施例であるＬＣＤモニタ１４ａ上に表示されるインターバル表示モードの設定画面を示す他の図解図である。
【図７】本発明の一実施例である画像処理装置の動作の一部を示すフロー図である。
【符号の説明】
【００６８】
２      …監視カメラシステム
１０    …監視カメラ
１４    …画像処理装置
１４ａ  …ＬＣＤモニタ
１４ｂ  …信号処理装置
１４ｃ  …ポインティングデバイス
３２    …ＣＰＵ
３４    …伸張処理部
３６    …ＳＤＲＡＭ
【図１】
2010068490.tif 000003
【図２】
2010068490.tif 000004
【図３】
2010068490.tif 000005
【図４】
2010068490.tif 000006
【図５】
2010068490.tif 000007
【図６】
2010068490.tif 000008
【図７】
2010068490.tif 000009